(57)【要約】【課題】簡易な作業によってクラックの開口側部分を強固に且つ安定した状態で閉塞して、乾燥収縮によってモルタル壁に生じたクラックを効率良く効果的に補修できるモルタル壁のクラック補修方法を提供する。【解決手段】ヘアークラック１８の内部に配設可能な太さを有する少なくとも２本の線材１９ａ，１９ｂに、主剤２０ａと硬化剤２０ｂとからなる接着剤２０の主剤２０ａ及び硬化剤２０ｂの何れか一方又は他方を各々付着させると共に、主剤２０ａが付着した線材１９ａ及び硬化剤２０ｂが付着した線材１９ｂをヘアークラック１８に沿って重ねて挿入配置し、主剤２０ａと硬化剤２０ｂとを反応させることで接着剤２０を硬化させて、ヘアークラック１８の開口側部分を閉塞する。【選択図】図２
2011058291.tif 000002
【特許請求の範囲】
【請求項１】
乾燥収縮によってモルタル壁に生じたクラックを補修するためのクラック補修方法であって、
前記クラックの内部に配設可能な太さを有する少なくとも２本の線材に、主剤と硬化剤とからなる接着剤の前記主剤及び前記硬化剤の何れか一方又は他方を各々付着させると共に、前記主剤が付着した線材及び前記硬化剤が付着した線材を前記クラックに沿って重ねて挿入配置し、前記主剤と前記硬化剤とを反応させることで前記接着剤を硬化させて、前記クラックの開口側部分を閉塞するモルタル壁のクラック補修方法。
【請求項２】
乾燥収縮によってモルタル壁に生じた前記クラックが、０．０３〜０．５ｍｍの小幅のヘアークラックである請求項１記載のモルタル壁のクラック補修方法。
【請求項３】
前記主剤と硬化剤とからなる接着剤が、エポキシ樹脂系接着剤である請求項１又は２記載のモルタル壁のクラック補修方法。
【請求項４】
前記線材が、グラスファイバー又は炭素繊維である請求項１〜３のいずれかに記載のモルタル壁のクラック補修方法。
【発明の詳細な説明】
【技術分野】
【０００１】
本発明は、モルタル壁のクラック補修方法に関し、特に、乾燥収縮によってモルタル壁に生じたクラックを補修するためのモルタル壁のクラック補修方法に関する。
【背景技術】
【０００２】
モルタル壁として、例えばモルタル外壁は、耐火性能に優れた外壁として知られており、モルタル外壁は、例えば柱、間柱等の外壁骨組部材に支持させて壁下地用面材を取り付けると共に、壁下地用面材の表面を覆って防水シートを取り付け、さらに防水シートの表面にラス網を取り付けた後に、ラス網に支持させるようにしてモルタルを敷設し、モルタルが硬化したら、これの表面に外壁仕上材を塗布することによって形成されるのが一般的である。
【０００３】
また、モルタル外壁を構成するモルタルは、これが硬化して表面に外壁仕上材が塗布された後も、乾燥収縮によってさらに収縮して、例えば０．０３〜０．５ｍｍ程度の小幅のいわゆるヘアークラックを生じる場合がある。これらのヘアークラックは、モルタルを貫通して形成されるものではなく、モルタル外壁の止水性等に特に影響を及ぼすものではないが、ヘアークラックが表面の外壁仕上材にも及んで外観が劣ることになることから、このようなヘアークラックを補修する必要がある。
【０００４】
一方、コンクリートやモルタルに生じたクラック（ひび割れ）の補修方法として、種々の技術が提案されている（例えば、特許文献１参照）。特許文献１に記載の補修方法では、モルタル等の亀裂部分に予め硬化刺激材を注入し、しかる後に硬化刺激材以外の補修用組成物成分の混練物を注入することで、クラックを閉塞するようになっており、また亀裂部分に硬化刺激材や補修用組成物成分を注入する方法として、自然にしみ込ます方法、流し込み方法、擦り込み塗装方法、コーキングガン等を用いた圧入方法等が採用されるようになっている。
【先行技術文献】
【特許文献】
【０００５】
【特許文献１】特開平１０−２６５２５６号公報
【発明の概要】
【発明が解決しようとする課題】
【０００６】
しかしながら、硬化刺激材や補修用組成物成分をクラックに注入する従来の方法によれば、特にクラックがヘアークラック等の小幅のものである場合には、注入作業を行い難く、また注入できたとしても、これらをクラックの中まで充分に充填することは困難である。このため、充填が不十分で、クラックを補修した後に短期間で再びクラックが生じることになったり、クラックの中まで無理に充填しようとして、クラックの周囲を汚したり材料を無駄に使用したりすることになる。
【０００７】
本発明は、簡易な作業によってクラックの開口側部分を強固に且つ安定した状態で閉塞して、乾燥収縮によってモルタル壁に生じたクラックを効率良く効果的に補修することのできるモルタル壁のクラック補修方法を提供することを目的とする。
【課題を解決するための手段】
【０００８】
本発明は、乾燥収縮によってモルタル壁に生じたクラックを補修するためのクラック補修方法であって、前記クラックの内部に配設可能な太さを有する少なくとも２本の線材に、主剤と硬化剤とからなる接着剤の前記主剤及び前記硬化剤の何れか一方又は他方を各々付着させると共に、前記主剤が付着した線材及び前記硬化剤が付着した線材を前記クラックに沿って重ねて挿入配置し、前記主剤と前記硬化剤とを反応させることで前記接着剤を硬化させて、前記クラックの開口側部分を閉塞するモルタル壁のクラック補修方法を提供することにより、上記目的を達成したものである。
【０００９】
そして、本発明のモルタル壁のクラック補修方法は、乾燥収縮によってモルタル壁に生じた前記クラックが、０．０３〜０．５ｍｍ、特に０．１〜０．３ｍｍの小幅のヘアークラックであることが好ましい。
【００１０】
また、本発明のモルタル壁のクラック補修方法は、前記主剤と硬化剤とからなる接着剤が、エポキシ樹脂系接着剤であることが好ましい。
【００１１】
さらに、本発明のモルタル壁のクラック補修方法は、前記線材が、グラスファイバー又は炭素繊維であることが好ましい。
【発明の効果】
【００１２】
本発明のモルタル壁のクラック補修方法によれば、簡易な作業によってクラックの開口側部分を強固に且つ安定した状態で閉塞して、乾燥収縮によってモルタル壁に生じたクラックを効率良く効果的に補修することができる。
【図面の簡単な説明】
【００１３】
【図１】本発明の好ましい一実施形態に係るモルタル壁のクラック補修方法が適用されるモルタル外壁の構成を説明する部分破断斜視図である。
【図２】本発明の好ましい一実施形態に係るモルタル壁のクラック補修方法を説明する要部断面図である。
【図３】線材を主剤や硬化剤に浸漬した状態で収容した筒状容器の斜視図である。
【発明を実施するための形態】
【００１４】
本発明の好ましい一実施形態に係るモルタル壁のクラック補修方法は、例えば図１に示すような構成のモルタル外壁１０の表面に生じたクラックを補修するための補修方法として採用されたものである。すなわち、図１に示すモルタル外壁１０は、好ましくは標準仕様の防火構造を備えるものであり、外壁骨組部材１１に支持させて、裏側に断熱材１７を充填した状態で壁下地用面材１２を取り付けると共に、壁下地用面材１２の表面を覆って防水シート１３を取り付け、さらに防水シート１３の表面にラス網１４を取り付けた後に、ラス網１４に支持させるようにしてモルタル１５を敷設し、モルタル１５が硬化したら、これの表面に外壁仕上材１６を塗布することによって形成されるものである。
【００１５】
また、本実施形態では、硬化したモルタル１５は、これの表面に外壁仕上材１６が塗布された後も、乾燥収縮によって収縮して、例えば０．０３〜０．５ｍｍ程度、特に０．１〜０．３ｍｍ程度の小幅のヘアークラック１８（図２参照）を当該モルタル１５の表面に生じており、生じたヘアークラック１８が外壁仕上材１６にも及んで外観が劣ることになることから、このようなヘアークラック１８を補修するための方法として、本発明のクラック補修方法が用いられることになる。
【００１６】
そして、本実施形態のモルタル壁のクラック補修方法は、乾燥収縮によってモルタル外壁１０に生じたヘアークラック１８を補修するための補修方法であって、図２及び図３に示すように、ヘアークラック１８の内部に配設可能な太さを有する少なくとも２本の線材１９ａ，１９ｂに、主剤２０ａと硬化剤２０ｂとからなる接着剤２０の主剤２０ａ及び硬化剤２０ｂの何れか一方又は他方を各々付着させると共に、主剤２０ａが付着した線材１９ａ及び硬化剤２０ｂが付着した線材１９ｂをヘアークラック１８に沿って重ねて挿入配置し、主剤２０ａと硬化剤２０ｂとを反応させることで接着剤２０を硬化させて、ヘアークラック１８の開口側部分を閉塞するようになっている。
【００１７】
本実施形態では、例えばヘアークラック１８が生じた部分の外壁仕上材１６を、ヘアークラック１８の両側部分に沿って削り取ってから、露出したモルタル１５の表面に現れたヘアークラック１８に、主剤２０ａが付着した線材１９ａと硬化剤２０ｂが付着した線材１９ｂとをヘアークラック１８の延設方向に沿って重ねて挿入配置することでヘアークラック１８を補修する。
【００１８】
ここで、主剤２０ａと硬化剤２０ｂとからなる接着剤２０としては、２液混合型の接着剤として知られる種々の接着剤を用いることができるが、例えば低粘度形のエポキシ樹脂系接着剤を好ましく用いることができる。主剤２０ａと硬化剤２０ｂとからなる接着剤２０として、低粘度形のエポキシ樹脂系接着剤を用いることにより、その優れた流動性によって、線材１９ａ，１９ｂに付着させた状態でヘアークラック１８の中に主剤２０ａや硬化剤２０ｂを容易に入り込ませることができると共に、ヘアークラック１８の中で主剤２０ａと硬化剤２０ｂとをスムーズに反応硬化させることが可能になる。このような低粘度形のエポキシ樹脂系接着剤としては、より具体的には、例えば建築補修用注入エポキシ樹脂規格（ＪＩＳ  Ａ  ６０２４）に適合する、商品名「ボンドＥ２０６」（コニシ株式会社製）を用いることができる。
【００１９】
また、接着剤２０の主剤２０ａや硬化剤２０ｂを付着させる線材１９ａ，１９ｂとしては、ヘアークラック１８の内部に配設可能な例えば０．０１〜０．３ｍｍ程度の太さを有する種々の線材を用いることができるが、例えば強靭で且つ細いといった相反する物性を併せ持つ、グラスファイバーや炭素繊維からなる線材を好ましく用いることができる。線材１９ａ，１９ｂとしてグラスファイバーや炭素繊維からなるものを用いることにより、接着剤２０の主剤２０ａや硬化剤２０ｂを付着させた状態で、線材１９ａ，１９ｂを狭いヘアークラック１８にスムーズに押し込みつつ挿入配置してゆくことが可能になると共に、接着剤２０が硬化した際には線材１９ａ，１９ｂが接着剤２０の芯材として機能して、接着剤２０と共にヘアークラック１８の開口側部分を強固に且つ安定した状態で閉塞することが可能になる。
【００２０】
そして、本実施形態では、図３に示すように、例えば主剤２０ａが充填された第１筒状容器２１ａに複数の線材１９ａを浸漬しておくと共に、硬化剤２０ｂが充填された第２筒状容器２１ｂに複数の線材１９ｂを浸漬しておき、モルタル外壁１０の表面に生じたヘアークラック１８を補修する際には、これらの筒状容器２１ａ，２１ｂから線材１９ａ，１９ｂを取り出して、主剤２０ａが付着した線材１９ａと、硬化剤２０ｂが付着した線材１９ｂとを、一本一本、これらが互いに接触又は近接するように、ヘアークラック１８の延設方向に沿って重ねて挿入配置してゆく。
【００２１】
ここで、線材１９ａ，１９ｂをヘアークラック１８の延設方向に沿って挿入配置してゆく作業は、例えば先端が細長く尖った針状の補助具を用いて容易に行うことができる。また、主剤２０ａが付着した線材１９ａや硬化剤２０ｂが付着した線材１９ｂを挿入配置する順序は、特に決まっておらず、どちらを先に挿入しても良い。さらに、主剤２０ａが付着した線材１９ａや硬化剤２０ｂが付着した線材１９ｂを、同じ箇所において1本づつ重ねて挿入配置する必要は必ずしもなく、例えばヘアークラック１８の幅等に応じて、複数本ずつ重ねて挿入配置することもできる。主剤２０ａが付着した線材１９ａと硬化剤２０ｂが付着した線材１９ｂの本数を異ならせた状態で重ねて挿入配置することもできる。主剤２０ａが付着した線材１９ａや硬化剤２０ｂが付着した線材１９ｂは、クラック１８の奥まで挿入配置する必要はなく、例えば線材１９ａ，１９ｂがモルタル１５の表面から突出しない状態で、少なくともヘアークラック１８の開口側部分に挿入配置されていれば良い。
【００２２】
本実施形態では、ヘアークラック１８に線材１９ａ，１９ｂと共に挿入された主剤２０ａと硬化剤２０ｂとが反応硬化して形成された接着剤２０の層によって、ヘアークラック１８の開口側部分が閉塞されたら、必要に応じて、ヘアークラック１８の硬化した接着剤２０よりも開口側にバックアップ材を詰めてモルタル１５の表面を平坦に仕上げてから、このようにして補修されたヘアークラック１８を覆い隠すようにして、外壁仕上材１６を削り取った部分に再び外壁仕上材１６を塗布することによって、補修作業を終了する。
【００２３】
そして、本実施形態のモルタル壁のクラック補修方法によれば、簡易な作業によってヘアークラック１８の開口側部分を強固に且つ安定した状態で閉塞して、乾燥収縮によってモルタル外壁１０に生じたヘアークラック１８を効率良く効果的に補修することが可能になる。
【００２４】
すなわち、本実施形態によれば、少なくとも２本の線材１９ａ，１９ｂに、接着剤２０の主剤２０ａ及び硬化剤２０ｂの何れか一方又は他方を各々付着させると共に、これらの線材１９ａ，１９ｂをヘアークラック１８に沿って重ねて挿入配置するだけの簡易な作業によって、主剤２０ａと硬化剤２０ｂとを反応させて接着剤２０を硬化させることで、ヘアークラック１８の開口側部分を容易に閉塞することが可能になると共に、ヘアークラック１８に挿入位置された線材１９ａ，１９ｂは、接着剤２０の芯材として機能することにより、接着剤２０と共にヘアークラック１８の開口側部分を強固に且つ安定した状態で閉塞して、ヘアークラック１８を効率良く効果的に補修することが可能になる。
【００２５】
なお、本発明は上記実施形態に限定されることなく種々の変更が可能である。例えば、本発明のクラック補修方法によって補修されるクラックは、０．０３〜０．５ｍｍ程度の小幅のヘアークラックである必要は必ずしも無く、例えば０．０１〜２．００ｍｍ程度の幅のクラックや、モルタルを貫通するクラックであっても良い。また、本発明のクラック補修方法によってクラックが補修されるモルタル壁は、外壁である必要は必ずしもなく、内壁や仕切り壁等の他、基礎の立上り部の壁等であっても良い。
【符号の説明】
【００２６】
１０  モルタル外壁（モルタル壁）
１１  外壁骨組部材
１２  壁下地用面材
１３  防水シート
１４  ラス網
１５  モルタル
１６  外壁仕上材
１７  断熱材
１８  ヘアークラック
１９ａ，１９ｂ  線材
２０  接着材
２０ａ  主剤
２０ｂ  硬化剤
【図１】
2011058291.tif 000003
【図２】
2011058291.tif 000004
【図３】
2011058291.tif 000005